(57)【要約】【課題】可動プーリをスライドさせる動力伝達部を小型化する。【解決手段】駆動ユニット９０は，進退動する出力軸９１を備え，動力伝達部１００は，プーリ軸５１と平行な支持軸１２１によって回動可能に支持され，出力軸９１と連動して回動することで可動プーリ６２をスライドさせる回動部材１２０を有する。動力伝達部は，回動部材１２０と可動プーリ６２のうちの一方に設けられたカムと，カムと当接する，他方に設けられたカムフォロアとを有し，カムとカムフォロアとの当接部が，可動プーリ６２とプーリ軸５１を支持する軸受部３１ｂとの間において軸受部３１ｂに隣接して配置されている。【選択図】図５
2010209996.tif 000002
【特許請求の範囲】
【請求項１】
第１のプーリ軸であるプライマリ軸に支持された駆動プーリと，第２のプーリ軸であるセカンダリ軸に支持された従動プーリと，これら駆動プーリと従動プーリとの間に架け渡されたＶベルトと，前記駆動プーリおよび／または従動プーリにおける可動プーリを該可動プーリの軸線方向へスライドさせることでプーリの溝幅を変更する溝幅可変機構と，この溝幅可変機構を作動させる駆動ユニットと，この駆動ユニットの動力を前記溝幅可変機構へ伝達する動力伝達部とを備えたＶベルト式無段変速機であって，
前記駆動ユニットは，進退動する出力軸を備え，
前記動力伝達部は，前記プーリ軸と平行な支持軸によって回動可能に支持され，前記出力軸と連動して回動することで前記可動プーリをスライドさせる回動部材を有することを特徴とするＶベルト式無段変速機。
【請求項２】
前記動力伝達部は，前記回動部材と前記可動プーリのうちの一方に設けられたカムと，該カムと当接する，他方に設けられたカムフォロアとを有し，カムとカムフォロアとの当接部が，前記可動プーリと該可動プーリが取り付けられるプーリ軸を支持する軸受部との間において該軸受部に隣接して配置されていることを特徴とする請求項１記載のＶベルト式無段変速機。
【発明の詳細な説明】
【技術分野】
【０００１】
本発明は，Ｖベルト式無段変速機に関するものである。
【背景技術】
【０００２】
従来，例えば特許文献１（図２〜図５）に見られるように，Ｖベルト式無段変速機として，プライマリ軸（１１）に支持された駆動プーリ（４７）と，セカンダリ軸（５０）に支持された従動プーリ（５２）と，これら駆動プーリ（４７）と従動プーリ（５２）との間に掛け渡されたＶベルト（５５）と，駆動プーリ（４７）における可動プーリ（可動半体４９）を可動プーリ（４９）の軸線方向へスライドさせることでプーリ（４７）の溝幅を変更する溝幅可変機構と，この溝幅可変機構を作動させる駆動モータ（８１）と，この駆動モータ（８１）の動力を溝幅可変機構へ伝達する動力伝達部とを備えたＶベルト式無段変速機が知られている。
【先行技術文献】
【特許文献】
【０００３】
【特許文献１】特開２００６−１５３０５７号公報
【発明の概要】
【発明が解決しようとする課題】
【０００４】
上述した従来のＶベルト式無段変速機では，駆動モータ（８１）の動力を溝幅可変機構へ伝達する動力伝達部が，減速歯車機構（８２）とネジ式のスライダー機構（７１）とで構成されていた。
このため，動力伝達部には複数のギアおよびその軸受部材等を設ける必要があり，結果として動力伝達部が大型化するという課題を有していた。
本発明の目的は，上記課題を解決し，動力伝達部を小型化できるＶベルト式無段変速機を提供することにある。
【課題を解決するための手段】
【０００５】
上記目的を達成するために本発明のＶベルト式無段変速機は，第１のプーリ軸であるプライマリ軸に支持された駆動プーリと，第２のプーリ軸であるセカンダリ軸に支持された従動プーリと，これら駆動プーリと従動プーリとの間に架け渡されたＶベルトと，前記駆動プーリおよび／または従動プーリにおける可動プーリを該可動プーリの軸線方向へスライドさせることでプーリの溝幅を変更する溝幅可変機構と，この溝幅可変機構を作動させる駆動ユニットと，この駆動ユニットの動力を前記溝幅可変機構へ伝達する動力伝達部とを備えたＶベルト式無段変速機であって，
前記駆動ユニットは，進退動する出力軸を備え，
前記動力伝達部は，前記プーリ軸と平行な支持軸によって回動可能に支持され，前記出力軸と連動して回動することで前記可動プーリをスライドさせる回動部材を有することを特徴とする。
このＶベルト式無段変速機によれば，駆動ユニットの出力軸の進退動で動力伝達部の回動部材が回動し，これによって可動プーリがスライドするので，従来技術の動力伝達部では必要とされた複数のギアおよびその軸受部材を設ける必要がなくなる。このため，従来技術に比べて，動力伝達部の構造を著しく簡素化することができ，したがって小型化を図ることが可能となる。結果として，Ｖベルト式無段変速機全体を小型化することが可能となる。
しかも，回動部材の支持軸は，プーリ軸と平行なので，支持軸を容易に構成することができる。回動部材の支持軸はプーリ軸と直交するように構成することも可能であるが，そのように構成すると，支持軸の構成が困難になる。例えば無段変速機のケースを作製する上で，支持軸の構成が困難になる。
これに対し，回動部材の支持軸を，プーリ軸と平行に配置することで，支持軸を容易に構成することが可能となる。
望ましくは，前記動力伝達部は，前記回動部材と前記可動プーリのうちの一方に設けられたカムと，該カムと当接する，他方に設けられたカムフォロアとを有し，カムとカムフォロアとの当接部が，前記可動プーリと該可動プーリが取り付けられるプーリ軸を支持する軸受部との間において該軸受部に隣接して配置されている構成とする。
このように構成すると，カムとカムフォロアとの当接により可動プーリがスライドする際に，プーリ軸に対し，該プーリ軸と直交する方向の力が作用したとしても，プーリ軸が撓みにくくなって可動プーリが円滑にスライドしやすくなる。
【図面の簡単な説明】
【０００６】
【図１】本発明に係るＶベルト式無段変速機の一実施の形態を用いた一例としてのスクータ型の自動二輪車を示す側面図。
【図２】は同自動二輪車におけるＶベルト式無段変速機を備えたパワーユニットの側面図。
【図３】図２における部分省略ＩＩＩ−ＩＩＩ断面図。
【図４】（ａ）は図３の部分拡大図，（ｂ）は図（ａ）におけるｂ−ｂ端面図。
【図５】図３における部分省略Ｖ矢視図。
【図６】トルク伝達部１１０の要部を示す分解斜視図。
【図７】他の実施の形態の要部を示す平断面図。
【発明を実施するための形態】
【０００７】
以下，本発明に係るＶベルト式無段変速機の実施の形態について図面を参照して説明する。
図１は本発明に係るＶベルト式無段変速機の一実施の形態を用いた一例としてのスクータ型の自動二輪車を示す側面図，図２は同自動二輪車におけるＶベルト式無段変速機を備えたパワーユニットの側面図，図３は図２における部分省略ＩＩＩ−ＩＩＩ断面図である。
図１に示すように，この自動二輪車１０は，車体フレーム１１の後部に，ピボット軸１２とリアクッションユニット１３とでパワーユニット（スイングユニット）２０を車体フレーム１１に対しピボット軸１２回りに揺動自在に懸架した車両である。ヘッドパイプ１１ｈに操舵自在にフロントフォーク１４を取り付け，このフロントフォーク１４の下端に前輪１５Ｆを取り付けてある。フロントフォーク１４の上部にはステアリングハンドル１５を取り付けてある。
車体フレーム１１は後部に左右一対のシートフレーム１１ｓ（一方のみ図示）を有している。このシートフレーム１１ｓ上に乗員が跨って座るシート１６が設けられ，このシート１６の下方に，上方へ開口する収納ボックス１７が設けられている。収納ボックス１７の後方には燃料タンク１８が配置されている。
【０００８】
パワーユニット（スイングユニット）２０は，駆動源としてのエンジン３０と，このエンジン３０の後方に設けられている変速機ケース４０とを有している。変速機ケース４０には，エンジン３０の駆動力を後輪１５Ｒに伝達するＶベルト式無段変速機５０が内蔵されている。パワーユニット２０は車体フレーム１１の後端部に揺動自在に取り付けられており，エンジン３０の動力が変速機ケース４０内のＶベルト式無段変速機５０を介して後輪１５Ｒに伝達される。したがって，パワーユニット２０はリヤスイングアームを兼ねている。
【０００９】
主として図３に示すように，エンジン３０は，クランクケース３１と，シリンダブロック３２と，シリンダヘッド３３と，シリンダヘッドカバー３４とを有している。クランクケース３１の前端に前方略水平方向に指向したシリンダブロック３２が結合され，同シリンダブロック３２の前端にシリンダヘッド３３が結合され，同シリンダヘッド３３の前端にシリンダヘッドカバー３４が結合されている。
クランクケース３１に保持されたボールベアリング３１ｂ，３１ｂでクランク軸３１ｃが回転可能に支持され，シリンダブロック３２内にピストン３２ｐが摺動可能に設けられている。クランク軸３１ｃとピストン３２ｐとがコンロッド３２ｃで連結されており，ピストン３２ｐの往復動でクランク軸３１ｃが回転する。クランク軸３１ｃは後述するプライマリ軸（駆動軸）５１を構成する。シリンダヘッド３３には，燃焼室３３ｃに連通する吸気管３５（図１）と排気管３６（図１）が接続されている。図２に示すように吸気管３５には，燃料供給装置３５ａおよびエアクリーナ３５ｃが接続されている。排気装置３６には，消音器（図示せず）が接続される。
【００１０】
図３において，３０ｐは点火プラグ，３０ｃはシリンダヘッドカバー３４内に設けられ，クランク軸３１ｃからチェーンｃを介して回転駆動される動弁用カム軸，３１ｇはクランクケースカバー３１ｅ内においてクランク軸３１ｃ回りに設けられたステータとクランク軸３１ｃに固定されたロータとを有する発電機である。
【００１１】
図３に示すように変速機ケース（単にケースともいう）４０は，前述したパワーユニット２０の一部をなすケースとして構成されている。このケース４０は，右ケース４０Ｒとこれに結合された左ケース４０Ｌとを有している。右ケース４０Ｒは上記クランクケース３１と一体に製作されている。右ケース４０Ｒの後部には，セカンダリ軸（従動軸）５２の回転を減速して後輪軸５５に伝達するギアボックス（４０Ｇ）を構成するギアボックスカバー４０Ｃが結合されている。
【００１２】
図４は図３の部分拡大図，図５は図３における部分省略Ｖ矢視図である。
主として図３に示すように，Ｖベルト式無段変速機５０は，第１のプーリ軸であるプライマリ軸（駆動軸）５１に支持された駆動プーリ６０と，第２のプーリ軸であるセカンダリ軸（従動軸）５２に支持された従動プーリ７０と，これら駆動プーリ６０と従動プーリ７０との間に掛け渡されたＶベルト５３とを有している。また，このＶベルト式無段変速機５０は，前記駆動プーリ６０，従動プーリ７０，およびＶベルト５３を収容するケース４０と，前記駆動プーリ６０の溝幅を変更する溝幅可変機構８０（図４）と，この溝幅可変機構８０を作動させる駆動ユニット９０と，この駆動ユニット９０の動力を前記溝幅可変機構８０へ伝達する動力伝達部１００とを備えている。
【００１３】
なお，溝幅可変機構８０（したがってその動力伝達部１００等も）は，駆動プーリ６０の溝幅に代えて従動プーリ７０の溝幅を変更するように構成することもできるし，駆動プーリ６０の溝幅と従動プーリ７０の溝幅とを変更するように構成することもできる。したがって，本願において「プーリ軸」といった場合，第１および／または第２のプーリ軸を意味する。
以下，Ｖベルト式無段変速機５０の構成について順次説明する。
【００１４】
図３，図４に示すように，この実施の形態において，駆動軸（プライマリ軸）５１は前述したようにクランク軸３１ｃによって構成されている。
プライマリ軸５１は，軸受部材であるベアリング３１ｂ，３１ｂで両端支持される大径部５１ａと，この大径部５１ａに段部５１ｄを介して設けられていて駆動プーリ６０における可動プーリ６２の支持部を構成する小径部５１ｂとを有している。
【００１５】
図４に示すように，駆動プーリ６０には，溝幅可変機構８０が設けられている。
駆動プーリ６０はプライマリ軸（プーリ軸）５１の軸方向に移動しない固定プーリ（固定半体）６１と，プライマリ軸５１に対し軸方向に移動可能で相対回転不能に取り付けられた可動プーリ（可動半体）６２とを有している。
溝幅可変機構８０は，可動プーリ６２をプーリ軸５１における可動プーリ６２の支持部５１ｂに沿って軸方向へスライドさせることでプーリ６０の溝幅すなわち固定プーリ６１と可動プーリ６２との間隔を変更するための機構である。
溝幅可変機構８０は，プーリ軸５１に対し相対回転不能に設けられたトルク伝達部１１０と，可動プーリ６２に設けられていて，トルク伝達部１１０との間でトルク伝達がなされるボス部６３とを有している。
【００１６】
図６はトルク伝達部１１０の要部を示す分解斜視図である。
図４〜図６に示すように，トルク伝達部１１０は，プーリ軸５１の半径方向へ伸びる半径方向部分１１１と，この半径方向部分１１１に一体に設けられていて，軸線方向に伸びる軸線方向部分１１２とを有している。軸線方向部分１１２は，可動プーリ６２の，プーリ軸５１における可動プーリ６２の支持部５１ｂとの対向面（この実施の形態ではボス部６３の内周面）６３ａより半径方向に関して外側に位置している。軸線方向部分１１２は複数（この実施の形態では周方向に等ピッチで３個）設けてある。
【００１７】
トルク伝達部１１０はプライマリ軸５１と一体に形成することもできるが，この実施の形態では，トルク伝達部１１０は，プーリ軸５１と別体の部材（この部材をトルク伝達部材ともいう）で構成してある。
トルク伝達部１１０の半径方向部分１１１は円板状部分１１１ａを半径方向へ３箇所で放射状に延設し，その延設部の先端にそれぞれ軸線方向部分１１２を一体的に形成した形状となっている。
【００１８】
可動プーリ６２のボス部６３には，トルク伝達部１１０の軸線方向部分１１２との間でトルク伝達がなされるトルク伝達面６４が設けられている。このトルク伝達面６４は軸線方向部分１１２に対し軸線方向へ相対移動可能である。
可動プーリ６２のボス部６３には，トルク伝達部１１０の軸線方向部分１１２が挿入される穴６５が設けられている。この穴６５は横断面扇形であり軸線方向部分１１２の横断面と対応し，略合致している。この穴６５の円周方向における端面がトルク伝達面６４を形成している。軸線方向部分１１２はボス部６３の穴６５に挿入された状態で，上述したように，ボス部６３の内周面６３ａより半径方向に関して外側に位置する。
【００１９】
トルク伝達部１１０の軸線方向部分１１２と，ボス部６３におけるトルク伝達面６４との間には，合成樹脂製（例えばポリアミド樹脂（例えばＰＡ６６）に硬化材（例えばカーボン）を混合させて所望の硬度とした材料）の緩衝部材６６が設けられる。
緩衝部材６６は，トルク伝達部１１０における軸線方向部分１１２の先端部内側に装着されるもので，軸線方向部分１１２の先端部に適合した形状を有している。図６に示す緩衝部材６６は，湾曲状の内周壁部６６ａと，両側壁部６６ｂ，６６ｂと，底壁部６６ｃと，内周壁部６６ａにおいて半径方向外方へ向けて突出した突起６６ｄとを有する一体成型品である。
【００２０】
トルク伝達部１１０の軸線方向部分１１２には穴１１２ｄが設けられている。
緩衝部材６６は，内周壁部６６ａの突起６６ｄを軸線方向部分１１２の穴１１２ｄに嵌め合わせるようにして，内周壁部６６ａを軸線方向部分１１２の先端部分の内側に接合させることで軸線方向部分１１２の先端部分に装着される。
軸線方向部分１１２は緩衝部材６６が装着された状態で緩衝部材６６とともにボス部６３の穴６５に挿入される。緩衝部材６６が穴６５に挿入された状態では，緩衝部材６６の側壁部６６ｂにおける外側面６６ｂ１がボス部６３におけるトルク伝達面６４と当接するトルク伝達面を構成する。
【００２１】
緩衝部材６６は軸線方向部分１１２とともにボス部６３の穴６５内を軸線方向へスライド可能であるが，緩衝部材６６の突起６６ｄと軸線方向部分１１２の穴１１２ｄとが係合しているので，軸線方向部分１１２がスライドしても緩衝部材６６が軸線方向部分１１２から外れることはない。
【００２２】
なお，図６においては，緩衝部材６６を，軸線方向部分１１２の先端部内側に装着する構成を示してあるが，緩衝部材６６は軸線方向部分１１２の先端部外側に装着する構成とすることもできる。また，軸線方向部分１１２には緩衝部材６６を装着しない構成とすることもでき，その場合には，軸線方向部分１１２の側面が，ボス部６３におけるトルク伝達面６４と当接するトルク伝達面を構成する。
【００２３】
図５，図６において，６７は円筒部材である。この円筒部材６７は，可動プーリ６２のボス部６３に挿通されかつプーリ軸５１の小径部５１ｂに装着される。図４に示すように，小径部５１ｂの先端にはダブルナット６８が装着され，このダブルナット６８により，プライマリ軸５１の段部５１ｄとの間に，トルク伝達部材１１０，円筒部材６７，および固定プーリ６１が共締めされて，小径部５１ｂ上に固定される。すなわち，トルク伝達部材１１０は，半径方向部分１１１が，円筒部材６７の一端部６７ａと，前記段部５１ｄとで挟持されることで，プーリ軸５１に対し相対回転不能に固定される。また，固定プーリ６１は，円筒部材６７の他端部６７ｂと，ダブルナット６８とで挟持されることで，プーリ軸５１に対し相対回転不能に固定される。
【００２４】
可動プーリ６２は，上述したように，ボス部６３の穴６５にトルク伝達部１１０の軸線方向部分１１２が挿入されることにより，プーリ軸５１に対し相対回転不能かつスライド可能に装着される。
図４，図５に示すように，可動プーリ６２のボス部６３の外周には，該可動プーリ６２をスライドさせるための回動部材１２０が配置される。回動部材１２０については，動力伝達部１００とともに後に詳しく説明する。
【００２５】
図４，図５に示すように，駆動ユニット９０は，駆動源であるモータ（サーボモータ）Ｍ（図５）が収容されたモータ部Ｍ１（図４）と，モータＭの動力により作動する該駆動ユニット９０の出力部をなす出力軸９１とを備え，この出力軸９１が前記プライマリ軸５１と直交方向へ向けて配置されている。
駆動ユニット９０は，モータＭの動力を出力軸９１へ伝達する減速ギア列９２を備えている。減速ギア列９２の最終段のギア９２ｅには同心状にボールネジ（雄ネジ）９３が結合されている。出力軸９１の基部側は円筒状に形成され，その内面にボールネジ（雌ネジ）９１ｂが形成されていて，この雌ネジ９１ｂが，ボールネジ（雄ネジ）９３に螺合している。したがって，モータＭの駆動で減速ギア列９２を介してボールネジ９３が回転すると，その回転方向に応じて出力軸９１が，その軸線方向（図５における矢印Ｙ１，Ｙ２方向）へ進退動する。
【００２６】
駆動ユニット９０は，減速ギア列９２を収容したギアケース９４を，変速機ケース４０に設けた取付部４１（図３）とシリンダブロック３２に設けた取付部４２にネジ９５で締め付けることでパワーユニット２０に固定されている。図３において３２ａは，取付部４２の固定部である。
【００２７】
図２に示すように，ピボット軸１２は，クランク軸５１（３１ｃ）の軸線方向から見てクランク軸５１の中心よりも上方かつ前方に設け，クランク軸５１を備えるエンジン３０のシリンダ（シリンダブロック３２等）を変速機ケース４０の前部から前方へ向けて設けるとともに，駆動ユニット９０をシリンダの側方に配置してある。
【００２８】
図４，図５に示すように，動力伝達部１００は，駆動ユニット９０の動力を前記溝幅可変機構８０へ伝達するためのもので，上記回動部材１２０を有している。
回動部材１２０は，プーリ軸５１と平行な支持軸１２１によって回動可能に支持され，駆動ユニット９０の出力軸９１と連動して回動することで可動プーリ６２をスライドさせる。この実施の形態では，支持軸１２１は，シリンダブロック３２の雌ネジ穴３２ｓにネジ結合させたボルトによって構成されている。
回動部材１２０の一端１２２はピン１２３で駆動ユニット９０の出力軸９１に連結されている。回動部材１２０の他端１２４には図４（ｂ）にも示すようにカム１２５が設けられている。
【００２９】
一方，図４，図５に示すように，可動プーリ６２のボス部６３の外周には，ベアリング６９がボス部６３の軸線方向にスライド不能に固定されている。このベアリング６９の外周には同じく軸線方向にスライド不能に係合リング１３０が固定されている。係合リング１３０の外周において，上記回動部材１２０のカム１２５との対向部にはカムフォロアとしてのコロ１３１がピン１３２で回転可能に設けられている。また，係合リング１３０の外周部において，上記コロ１３１に対し，プーリ軸５１を挟んで対向する位置には，穴１３３が設けられており，この穴１３３にガイドピン１３４が挿入されている。ガイドピン１３４は変速機ケース４０に固定されている（図３参照）。なお，回動部材１２０と出力軸９１との連結部，回動部材１２０，および回動部材１２０とコロ１３１との連動部は，カバー（図示せず）で覆われている。
【００３０】
駆動ユニット９０の出力軸９１が進退動し，これに応じて回動部材１２０が支持軸１２１回りに回動すると，カム１２５とコロ１３１との当接により，また，穴１３３がガイドピン１３４で案内されることで，係合リング１３０がプーリ軸５１の軸方向へスライドし，これによって，可動プーリ６２がプーリ軸５１の軸方向へスライドすることとなる。
具体的には，出力軸９１が図５において矢印Ｙ１方向へ突出すると，回動部材１２０が図５において反時計方向へ回動し（仮想線参照），図４において可動プーリ６２が矢印Ｘ１方向へスライドする。逆に，出力軸９１が図５において矢印Ｙ２方向へ移動すると，回動部材１２０が図５において時計方向へ回動し（実線参照），図４において可動プーリ６２が矢印Ｘ２方向へスライドする。
【００３１】
カム１２５とカムフォロア１３１との当接部は，図４に示すように，可動プーリ６２の軸線方向に関し，可動プーリ６２と該可動プーリ６２が取り付けられるプーリ軸５１を支持する軸受部３１ｂとの間において該軸受部３１ｂに隣接して配置してある。すなわち，カム１２５とカムフォロア１３１との当接部は，軸受部３１ｂにできるだけ近づけて配置してある。
なお，この実施の形態では，回動部材１２０にカムを，可動プーリ６２にカムフォロアであるコロを設けたが，回動部材１２０にコロを，可動プーリ６２にカムを設けても同様の作動を得ることができる。
【００３２】
図３に示すように，Ｖベルト式無段変速機５０の従動軸であるセカンダリ軸５２は，上記ケース４０の左ケース４０Ｌおよびギアボックスカバー４０Ｃに回転自在に支持されている。このセカンダリ軸５２に遠心クラッチ５４を介して従動プーリ７０が設けてある。
従動プーリ７０は固定プーリ（固定半体）７１と可動プーリ（可動半体）７２とを備えている。上記駆動プーリ６０と従動プーリ７０とに無端状Ｖベルト５３が掛け渡され，駆動プーリ６０の回転が従動プーリ７０に伝達される。従動プーリ７０の回転数が所定回転数を越えると，従動プーリ７０とセカンダリ軸５２との間に設けられている遠心クラッチ５４が接続状態となり，セカンダリ軸５２が回転を始める。
【００３３】
セカンダリ軸５２の回転を減速して後輪軸５５に伝達するギア列（ギアボックス）４０Ｇは，セカンダリ軸５２に設けられたギア５２ｇと，このギア５２ｇに噛み合う大径のギア１４１と，この大ギア１４１より小径で大ギア１４１とともに回転する小ギア１４２と，この小ギア１４２と噛み合う大ギア１４３とを有している。大ギア１４３は後輪軸５５に相対回転不能に取り付けられている。
したがって，セカンダリ軸５２の回転は減速されて後輪軸５５に伝達され，後輪軸５５に取り付けられた後輪１５Ｒ（図１）が駆動されることとなる。
【００３４】
従動プーリ７０における可動プーリ７２は，セカンダリ軸５２に対し軸方向に移動自在に装着されている。可動プーリ７２は，コイルスプリング７３によって固定プーリ７１に接近する方向に付勢されており，Ｖベルト５３に作用する張力に応じて，軸方向に移動する。すなわち，駆動プーリ６０の可動プーリ６２が溝幅を狭める方向に変位して，駆動プーリ６０へのＶベルト５３の巻き掛け径が大きくなると，その分，従動プーリ７０に巻き掛けられているＶベルト５３が駆動プーリ６０側に引かれてＶベルト５３に作用する張力が大きくなり，この張力の増大で従動プーリ７０の可動プーリ７２は溝幅を広げる方向に変位し，従動プーリ７０へのＶベルト５３の巻き掛け径が小さくなってセカンダリ軸５２が高速で回転する。駆動プーリ６０の可動プーリ６２が溝幅を広める方向に変位した場合には，逆に作動し，セカンダリ軸５２が低速で回転する。
【００３５】
図示しない制御部による制御で駆動ユニット９０が作動し，図５において出力軸９１が矢印Ｙ１方向へ突出して可動プーリ６２がＸ１方向へスライドすると，固定プーリ６１と可動プーリ６２との間隔が広くなってＶベルト５３の駆動プーリ６０への巻き掛け径が小さくなるとともに従動プーリ７０へのＶベルト５３の巻き掛け径が大きくなり，高負荷にも耐えられるように後輪１５Ｒが低速で回転駆動されることとなる。逆に，出力軸９１が矢印Ｙ２方向へ移動して可動プーリ６２がＸ２方向へスライドすると，固定プーリ６１と可動プーリ６２との間隔が狭くなってＶベルト５３の駆動プーリ６０への巻き掛け径が大きくなるとともに従動プーリ７０へのＶベルト５３の巻き掛け径が小さくなり，後輪１５Ｒが高速で回転駆動されることとなる。
【００３６】
以上のようなＶベルト式無段変速機５０によれば次のような作用効果が得られる。
（ａ）駆動ユニット９０の出力軸９１の進退動で動力伝達部１００の回動部材１２０が回動し，これによって可動プーリ６２がスライドするので，従来技術の動力伝達部では必要とされた複数のギアおよびその軸受部材を設ける必要がなくなる。このため，従来技術に比べて，動力伝達部１００の構造を著しく簡素化することができ，したがって小型化を図ることが可能となる。結果として，Ｖベルト式無段変速機全体を小型化することが可能となる。
しかも，回動部材１２０の支持軸１２１は，プーリ軸５１と平行なので，加工精度を向上させることができ，プーリ軸５１の倒れ方向への力が作用することを軽減させることができる。したがって，可動プーリ６２のスライドを円滑にし，モータＭの負荷を軽減することができる。また，回動部材１２０の支持軸１２１はプーリ軸５１と平行なので，回動部材１２０のプーリ軸５１の軸方向への揺動範囲を小さくし，プーリ軸５１の軸方向への動力伝達部１００（したがってＶベルト式無段変速機５０）の大型化を防止することができる。同時に，ケース開口を小さくできるので，変速機ケース４０の剛性を確保することができる。
（ｂ）動力伝達部１００は，回動部材１２０と可動プーリ６２のうちの一方に設けられたカム１２５と，該カム１２５と当接する，他方に設けられたカムフォロア１３１とを有し，カム１２５とカムフォロア１３１との当接部が，可動プーリ６２と該可動プーリ６２が取り付けられるプーリ軸５１を支持する軸受部３１ｂとの間において該軸受部３１ｂに隣接して配置されているので，カムとカムフォロアとの当接により可動プーリ６２がスライドする際に，プーリ軸５１に対し，該プーリ軸５１と直交する方向の力が作用したとしても，プーリ軸５１が撓みにくくなって可動プーリ５１が円滑にスライドしやすくなる。
【００３７】
図７は他の実施の形態の要部を示す平断面図である。
この実施の形態が，上述した実施の形態と異なる点は，支持軸１２１の取付用雌ネジ穴３２ｓを変速機ケース４０（右ケース４０Ｒ）に設けた点にあり，その他の点に変わりはない。
この実施の形態によると，支持軸１２１の取付用雌ネジ穴３２ｓ，プーリ軸５１の支持穴５１ｈ，シール５１ｓの支持穴５１ｆ，およびガイドピン１３４の支持穴１３４ａを同一部材に平行に配置することで，これらの穴の加工精度を向上させることができ，可動プーリ６２をスライドさせる際にプーリ軸５１の倒れ方向への力が作用することを一層軽減させることができる。したがって，可動プーリ６２のスライドをより円滑にし，モータＭの負荷を一層軽減することができる。
【００３８】
以上，本発明の実施の形態について説明したが，本発明は上記の実施の形態に限定されるものではなく，本発明の要旨の範囲内において適宜変形実施可能である。
【符号の説明】
【００３９】
３１ｂ  軸受部，４０    変速機ケース，５０    Ｖベルト式無段変速機，５１    クランク軸，５２    従動軸，５３    Ｖベルト，６０    駆動プーリ，６２    可動プーリ，７０    従動プーリ，８０    溝幅可変機構，９０    駆動ユニット，９１    出力軸，１００    動力伝達部，１２０    回動部材，１２１    支持軸，１２５    カム１２５，１３１    コロ（カムフォロア）。
【図１】
2010209996.tif 000003
【図２】
2010209996.tif 000004
【図３】
2010209996.tif 000005
【図４】
2010209996.tif 000006
【図５】
2010209996.tif 000007
【図６】
2010209996.tif 000008
【図７】
2010209996.tif 000009